(57)【要約】      （修正有）【課題】履き口以外に開口部分のない閉鎖性履き物の内側に生き残っている微生物を殺菌力のある気体または揮発性成分によって殺菌する際に、その効果を高めるために履き口を塞ぐための用具を提供する。【解決手段】履き物の内側を殺菌する方法として、植物精油成分、アルコール類、アルデヒド類などの殺菌力のある揮発性成分を利用する方法が既に公知となっている。原理的に、揮発性成分の蒸気は履き物の内側表面の標的とする部位において必要な濃度に達していれば殺菌効果は確実であると考えられる。殺菌力のある揮発性成分を含むレモングラス油やクローブ油によって履き物内部を殺菌する際、その履き口を塞いでその効果を必要なレベルにまで高める効果的であった。簡便で安価であり、利用により特別な問題を引き起こすことはない。また使用する揮発性成分を選べば、履き物の材料が劣化することはなく、香りも好く、価格も安く、きわめて実用的である。【選択図】図２
2014073335.tif 000002
【特許請求の範囲】
【請求項１】
履き口以外に開口部分のない閉鎖性履き物の内側に生き残っている微生物を殺菌力のある気体または揮発性成分によって殺菌する際に、その効果を高めるために履き口を塞ぐための用具。
【請求項２】
履き口に嵌め込めるように成形した用具であって、伸縮性のある材料を用いることによって形と大きさの異なる履き口に適用することを可能にし、同時に密閉性をも高めた請求項１記載の用具。
【請求項３】
履き口を覆う蓋状の用具であって、用具の開口部を履き口よりも大きくとることによって、大きさの異なる履き口に適用することを可能にし、さらに柔軟性のある材料を用いることによって、形の異なる履き口に適用することを可能にし、同時に密閉性を高めた請求項１記載の用具。
【請求項４】
履き口に嵌め込めるように成形した用具が風船状の用具であって、形と大きさの異なる履き口に適用することを可能にし、同時に密閉性を高めた請求項２記載の用具。
【請求項５】
用具の履き物内部に向き合う部分に、履き物内部に向かって伸びる枝状の部品を付属させ、その部品の上に揮発性成分を納めるための仕掛を設けた用具であって、その仕掛は、高さが内側底面から５ｍｍ以上になるように設置した請求項１、２、３または４記載の用具。
【請求項６】
履き物内部にあって揮発性成分が液体のまま直接触れない位置に、蒸発した揮発性成分を感知できる仕掛を設置した請求項１、２、３、４または５記載の用具。
【発明の詳細な説明】
【発明の詳細な説明】
【技術分野】
【０００１】  本発明は、履き口以外に開口部分のない閉鎖性履き物の内側に生き残り、人に何らかの害をなす微生物、とくに白癬菌などの皮膚病原性真菌類や悪臭の原因物質を発生する細菌類などを、殺菌力のある気体または揮発性成分によって殺菌する際、その効果を高め、皮膚病原性真菌類の再感染や悪臭の再発生を確実に予防するために、閉鎖性履き物の履き口を塞ぐための用具に関する。
【背景技術】
【０００２】  革靴やパンプス、ブーツ、スリッパといった履き物は日常生活において不可欠の用具であるが、通常、洗剤で洗うといったことは困難であり、その内側には、足の皮膚表面に由来する細菌、真菌、原虫といった微生物が付着、生存し、水虫などの皮膚疾患を引き起こしたり、悪臭を発生させる、などの原因となっている。水虫は完治しにくい皮膚疾患の代表であるが、その大きな原因の一つは、原因菌である白癬菌が履き物内側に生き残っていて再感染を繰り返すためであることが分かっている。また履き物から発生する悪臭の原因物質は、皮膚由来のブドウ球菌の代謝産物であることも分かっている。履き物から発生する悪臭は、しばしば玄関で気になる異臭の原因にもなる。
白癬は、角化した皮膚の組織、すなわち角質層や毛髪および爪に侵入・発育した白癬菌によって引き起こされる。白癬はあらゆるヒトの疾患の中でもっとも罹患率が高く、ほぼ世界のすべての地域において人口の１０％以上が常時罹患しているといわれ、日本においても患者数は１千万人を超えると推定されている。患者数がもっとも多いのが、俗に「水虫」といわれている足白癬である。白癬の治療は、一般的には薬剤を直接患部に接触させる、いわゆる外用塗布剤によってなされているが、白癬は薬剤に対する抵抗性が強く難治性である。さらに白癬菌は、患者が使用した履き物の内側に生き残り、再感染を引き起こす。これらの性質によって、「水虫」は完治しにくく、罹患率は高い水準に留まったままである。白癬は、トリコフィトン属、エピデルモフィトン属、ミクロスポルム属の真菌による感染によって引き起こされるが、起因菌としては、多い順にＴｒｉｃｈｏｐｈｙｔｏｎ  ｒｕｂｒｕｍ、Ｔ．ｍｅｎｔａｇｒｏｐｈｙｔｅｓ、Ｅｐｉｄｅｒｍｏｐｈｙｔｏｎ  ｆｌｏｃｃｕｓｕｍがあげられる。
履き物から発生する悪臭の主たる原因物質は、脂肪酸の一種であるイソ吉草酸であることが分かっている。イソ吉草酸は、靴の内部に付着した皮膚角質由来のタンパク質を、人の皮膚表面に由来するブドウ球菌が分解することによって発生する。イソ吉草酸は、臭いの閾値が非常に低く、悪臭防止法の規制対象になっている。イソ吉草酸は、足の裏の悪臭や玄関で気になる臭いの原因物質でもある。人の皮膚に生息するブドウ球菌の代表は、表皮ブドウ球菌Ｓｔａｐｈｙｌｏｃｏｃｃｕｓ  ｅｐｉｄｅｒｍｉｄｉｓであるが、それ以外にも皮膚に生息するブドウ球菌の種類は多く、Ｓ．ｃａｐｉｔｉｓ、Ｓ．ｃａｐｒａｅ、Ｓ．ｈｏｍｉｎｉｓ、Ｓ．ｈａｅｍｏｌｙｔｉｃｕｓなどが知られている。
以上述べたように、履き物の内部には様々な微生物が生き残り、皮膚疾患を引き起こしたり悪臭を発生させたりする原因となっている。したがって履き物に付着している微生物のコントロールは、人の健康や快適な生活を維持する上で大変重要な課題といえる。
履き物内部の殺菌に関しては、これまで多数の出願がなされているが、それらは以下のように大別される。１．殺菌力のある熱風、紫外線、オゾンなどを発生させる装置を備え、それらを履き物内部に導いたり、装置そのものを内部に置いて履き物の内側を殺菌するための機器。２．インソールなどの簡単な用具であって、それに殺菌力のある揮発性成分を保持させて履き物内部に装着し、保持させた成分を蒸発させて殺菌するための用具。３．殺菌力のある材料によって調製された内張を備えた履き物。
本発明は２の用具に分類されるべきものではあるが公知ではなく、簡便かつ利用のための費用が安価であり、殺菌効果が確実であってきわめて実用性が高いものである。
履き物内部を殺菌するための機器について、まず熱風を発生するタイプのものについて考察すると、皮膚病原性真菌類、ブドウ球菌類の中には乾燥状態で熱に抵抗性のものがあり、加熱のみによって殺菌し、再繁殖や再感染を予防することは、必ずしも容易なことではない。また履き物は、同じものを連日使用する場合がほとんどで、加熱はその都度加える必要があり、再繁殖や再感染の予防を確実にする高い温度では材質の劣化が早まり、履き物の寿命が短くなる可能性が高い。さらに機器自体も安価なものではない。
紫外線を発生させるタイプのものについて考察すると、履き物の内側表面にはかならず凹凸があり、そのため陰になって紫外線が到達できない部分が残ってしまう可能性が高い。その場合、陰になった部分に付着した微生物は殺菌されずに生き残り、再繁殖や再感染を引き起こす可能性は排除できない。また紫外線は材料を劣化させる力が大きく、連日の照射によって履き物の寿命が短くなる可能性もあり、機器自体も安価なものではない。
最後にオゾンを発生させるタイプのものについて考察すると、オゾンは気体であるところから容易に拡散し、たとえ凹凸があっても履き物内側すべての表面に到達し得る能力があると考えられる。しかもオゾンの殺菌力は強い。しかしながらあまりに拡散速度が速いため、殺菌に必要な濃度に達せず十分な効果が得られない部位もあり得る。この問題に対しては、本発明の利用によって履き物内部のオゾンの濃度を高めることは可能であり、それによって十分な殺菌効果を発揮することが期待される。しかしながらオゾンは、それ自体が異臭をもっているという問題がある。さらにオゾンは酸化力がきわめて強い気体であり、履き物の材料を劣化させてしまう可能性が否定できない。また機器自体も安価なものではない。
以上述べたように、殺菌するための機器が、殺菌力のある熱風、紫外線、オゾンを発生することは確かであるが、その能力が、履き物の内側に生き残っている微生物を十分殺菌し、とくに再感染を確実に予防することに直結するとは限らない。また履き物の材料の品質劣化、機器の価格などにも問題を残している。
次に殺菌力のある揮発性成分を保持させた簡単な用具について考察する。原理的に、揮発性成分は蒸発して気体となり、履き物の内側表面すべてに残すところなく到達し殺菌力を発揮しうると考えられる。実際、クローブ油、オレガノ油、ティートリー油、ラベンダー油、ゼラニウム油、シソ油などの植物精油を靴インソールに配置し、それによって白癬菌を殺菌し得るという情報が公開されている。しかしながら、この情報の詳細をみると、植物精油の配置個所から白癬菌までの距離が１．５ｃｍ程度の範囲内であることが有効性の必要条件であり、それ以上の距離になると必ずしも十分な効果が得られないとされている（特許公開２００７−６８９３３）。同時に精油蒸気が、数十分以上有効濃度を維持することも必要とされている。したがって履き物の内側すべての面を殺菌するためには、インソール全面に多数の穴を開けて植物精油を配置することが必要である。さらに精油蒸気は空気より重いため上に向かって拡散しにくく、履き物の内側底面に付着した白癬菌は殺菌し得ても、内側甲部分に付着している白癬菌の殺菌が十分なされるとは考えにくい。
本発明者は、殺菌力のある揮発性成分を含むものとして、例えばレモングラス油やクローブ油を履き物内部に適用する場合、履き口を塞ぐことによって精油蒸気の濃度が高まり、それによって十分な殺菌効果が得られることを見出した。すなわち殺菌力のある揮発性成分を履き物内部に適用する場合、その履き口を塞ぐことによって揮発性成分の履き物内部における蒸気濃度を高めることが決定的に重要であった。殺菌力のある揮発性成分によって履き物内部を殺菌するという情報は公知であるが、その際、その履き口をもれのないように塞いでその効果を必要十分なレベルにまで高めるという情報は公知ではなく、本発明者が工夫、開発した新規な情報である。
殺菌力のある揮発性成分には、植物精油成分、アルコール類、アルデヒド類、各種の低分子化合物などが知られており、蒸気濃度が、標的とする部位において必要なレベルに達していれば、その殺菌効果は確実である。また成分を選べば、履き物の材料が劣化することはなく、香りも好く、価格も安い。本発明は使用が簡便であって安価であり、きわめて実用的である。
最後に、殺菌力のある材料によって調製された履き物の内張についての考察であるが、履き物は一般に長期にわたって連日使用するため、材料の品質劣化や表面に付着してくる汚れによって、ある期間を過ぎると殺菌力が必要なレベル以下に低下してしまう可能性が高い。また現在市場に出回っている製品は、ほとんどが殺菌力のある内張を採用したものではなく、そのような製品を殺菌するためには、そのための機器ないし用具がどうしても必要である。すなわち現在の市場においては、殺菌力のある機器ないし用具の必要性は依然としてきわめて高い。
以上述べてきたように、これまで公表されている履き物の内側を殺菌するための発明は、必ずしも皮膚疾患の病原菌の再感染を予防する効果が確実とはいいがたく、また履き物の材質の劣化や機器の価格、発明が効果を発揮できる履き物がきわめて限定されるなど、それぞれ課題を残している。本発明は簡便なものではあるが新規であり、かつ効果が確実であって実用性がきわめて高い。
【発明の開示】
【発明が解決しようとする課題】
【０００３】  本発明の課題は、履き口以外に開口部分のない閉鎖性履き物の内側に生き残り、人に何らかの害をなす微生物、とくに白癬菌などの皮膚病原性真菌類や悪臭の原因物質を発生する細菌類などを殺菌力のある揮発性成分によって殺菌する際、その効果を必要十分にまで高め、再感染や悪臭再発生の予防目的を確実に達成するところにある。
革靴やパンプス、ブーツ、スリッパといった履き物は日常生活において不可欠の用具であるが、通常、洗剤で洗うといったことは困難であり、その内側には、足の皮膚表面に由来する細菌、真菌、原虫といった微生物が付着、生存し、水虫などの皮膚疾患を引き起こしたり、悪臭の発生などの原因となっている。水虫は完治しにくい皮膚疾患の代表であるが、その大きな原因の一つは、原因菌である白癬菌が履き物内部に生き残っていて再感染を繰り返すためであることが分かっている。また履き物から発生する悪臭の原因物質は、皮膚由来のブドウ球菌の代謝産物であることも分かっている。履き物から発生する悪臭は、しばしば玄関で気になる異臭の原因にもなる。したがって履き物に付着している微生物のコントロールは、人の健康や快適な生活を維持する上で大変重要な課題といえる
また発明の利用が簡便で安価、さらに利用により特別な問題を引き起こさないなど、その発明が実用性の高いものであることも課題とした。
【課題を解決するための手段】
【０００４】  殺菌力のある揮発性成分には、植物精油成分、アルコール類、アルデヒド類、各種の低分子化合物などが知られており、蒸気濃度が、標的とする部位において必要なレベルに達していれば、その殺菌効果は確実である。また原理的には、気体は履き物の内側表面すべてに残すところなく到達し殺菌力を発揮しうると考えられる。
しかしながら本発明者が、殺菌力のある揮発性成分を含むものとして、例えばｉｎ  ｖｉｔｒｏ試験において優れた抗真菌効果を発揮するレモングラス油やクローブ油を、実際に履き物内部に適用し、その効果を調べた結果、履き口を開放したままでは十分な殺菌効果が得られなかった。この問題を解決するには揮発性成分の履き物内部における蒸気濃度を高めることが決定的に重要であり、そのためには履き口を塞ぐことが有効であった。殺菌力のある揮発性成分によって履き物内部を殺菌するという情報は公知であるが、その際、その履き口を塞いでその効果を必要なレベルにまで高めるという情報は公知ではなく、本発明者が工夫、開発した新規な情報である。また成分を選べば、履き物の材料が劣化することはなく、香りも好く、価格も安い。すなわち本発明は使用が簡便であって安価であり、きわめて実用的である。
【発明の効果】
【０００５】  本発明の効果は、履き口以外に開口部分のない閉鎖性履き物の内側に生き残り、人に何らかの害をなす微生物、とくに白癬菌などの皮膚病原性真菌類や悪臭の原因物質を発生する細菌類などを殺菌力のある揮発性成分によって殺菌する際、その効果を高めて再感染や悪臭再発生の予防目的を確実に達成するところにある。
革靴やパンプス、ブーツ、スリッパといった履き物は日常生活において不可欠の用具であるが、通常、洗剤で洗うといったことは困難であり、その内側には、足の皮膚表面に由来する細菌、真菌、原虫といった微生物が付着、生存し、水虫などの皮膚疾患を引き起こしたり、悪臭の発生などの原因となっている。水虫は完治しにくい皮膚疾患の代表であるが、その大きな原因の一つは、原因菌である白癬菌が履き物内部に生き残っていて再感染を繰り返すためであることが分かっている。また履き物から発生する悪臭の原因物質は、皮膚由来のブドウ球菌の代謝産物であることも分かっている。履き物から発生する悪臭は、しばしば玄関で気になる異臭の原因にもなる。したがって履き物に付着している微生物のコントロールは、人の健康や快適な生活を維持する上で大変重要な課題といえる
また本発明の利用は簡便で安価、さらに利用により特別な問題を引き起こさないなど、実用性が高い。
【発明を実施するための最良の形態】
【０００６】  本発明は、履き口以外に開口部分のない閉鎖性履き物の内側に生き残り、人に何らかの害をなす微生物、とくに白癬菌などの皮膚病原性真菌類や悪臭の原因物質を発生する細菌類などを、殺菌力のある気体または揮発性成分によって殺菌する際、その効果を高め、皮膚病原性真菌類の再感染や悪臭の再発生を確実に予防するために、閉鎖性履き物の履き口を塞ぐための用具に関する。
具体的には、履き口に嵌め込めるように成形した用具、または履き口を覆う蓋状の用具であって、それぞれ伸縮性のある材料、または柔軟性のある材料を採用し、形と大きさの異なる履き口に適用することを可能にし、同時に密閉性をも高めたものである。履き口に嵌め込めるように成形した用具のさらに具体的な例としては、大きさを自在に調節できる風船状の用具があげられる。
材質としては、ポリエチレンやポリウレタン製のスポンジのように伸縮性、柔軟性のあるものが好ましく、風船状の用具であれば、天然ゴムやブチルゴムなどのゴム質が適当である。求められる材質の性能には、耐油性、耐薬品性、耐摩耗性、低い気体透過性などがあげられるが、とくに高い性能の材質である必要はなく、市場から容易に入手できるスポンジ、ゴム類でも十分利用可能である。これらの材料を用いて用具を調製するが、用具を履き口に適用した際、密閉性が十分保たれるような形に加工、成形する。
使用することのできる殺菌力のある揮発性成分には、植物精油、アルコール類、アルデヒド類、各種の低分子化合物などがあり、発生した蒸気が履き物の内側表面すべてに残すところなく到達し、その濃度が標的とする部位において必要なレベルに達していれば、その殺菌効果は確実である。植物精油には殺菌性の揮発性成分を含むものが少なくないが、クローブ油、オレガノ油、レモングラス油、ティートリー油、ラベンダー油、ゼラニウム油、シソ油などはとくに抗白癬菌活性が強い。しかしながら揮発性成分には殺菌力は強くても蒸気比重が重く、拡散能力が不十分なものがある。とくに植物精油成分のほとんどは、蒸気比重が重い。その場合は、履き物内部に、内側底面から５ｍｍ以上の高さに専用の仕掛を設け、その中に揮発性成分を保持させたスポンジなどを納めるようにすると、発生した蒸気がよりよく拡散する。とくに用具の履き物内部に向き合う部分に、履き物内部に向かって伸びる枝状の部品を付け、その部品の上に植物精油などの揮発性成分を納めるための仕掛を設け、その仕掛が用具を適用した際に内側底面から５ｍｍ以上の高さになるように設計しておくと、手間をかけることなく揮発性成分を的確な位置に配置することができる。この仕掛は１カ所でも効果はあるが、２カ所以上設置すると、より広範囲の殺菌が可能になり、設置場所を的確に選べば、履き物の内側つま先部分も効果的に殺菌し得る。
また用具の履き物内部に向き合う部分に、蒸発した揮発性成分を感知できる特別の仕掛、たとえば殺菌性の蒸気と反応して変色する指示薬を入れた仕掛を設けると、履き物内部の実際の蒸気濃度の半定量が可能となり、それによって使用者が、効果の確実性を目で予備的に確認することができる。
【実施例】
【０００７】  本発明を以下の実施例によりさらに詳細に説明するが、本発明はこれらの実施例に限定されるものではない。
実施例１．革靴内部の白癬菌に対する植物精油の殺菌効果【０００８】  男性用革靴（サイズ２５．５ｃｍ）の片方を用い、その履き口に嵌め込むタイプの蓋を、市販のスポンジ（厚さ２ｃｍ、材質ポリウレタン）を用いて長径１５ｃｍ、短径９ｃｍの楕円形に成形し、作成した。その蓋の靴の甲に近い部分に縦穴を開け、その穴に挿入したプラスチックの丸棒を介して、長さ２０ｃｍ、幅１ｃｍの細いプラスチック板を固定した。このプラスチック板は、植物精油をしみ込ませた厚手ろ紙（直径８ｍｍ、抗生物質検定用、アドバンテック社）を配置するためのもので、履き物の甲部分に沿って湾曲し、先端はつま先部分に達している（図１）。
白癬菌に対する殺菌効果を判定するために用いる白癬菌シャーレは、以下のように調製した。帝京大学医真菌研究センターに保存されている白癬菌Ｔ．ｍｅｎｔａｇｒｏｐｈｙｔｅｓ  ＴＩＭＭ２７８９を種菌として用い、それをサブロー・グルコース寒天培地平板９ｃｍに接種し、３０℃、４日間培養すると菌が生育し小分生子を生成する。小分生子が生成した培地に０．０５％ツイーン８０含有生理食塩水を加えて懸濁し、小分生子を含む上澄みを調製する。その上澄みを生理食塩水によって希釈し、含まれる小分生子の数を１０６ｃｅｌｌｓ／ｍｌに調整した。直径３．５ｃｍの滅菌シャーレに、厚さ４ｍｍになるように作成したサブロー・グルコース寒天培地平板に、小分生子浮遊液１００μｌを接種し、コンラージ棒で均一に塗り広げた。履き物の内張の繊維に入り込んだ菌を想定して効果を調べるため、白癬菌シャーレに通常の蓋は使わず、代わりに中央に直径８ｍｍの円形の穴をあけたアルミホイルを蓋として使用した。
靴の片方の内側底面に白癬菌シャーレを２個、つま先先端から底面長軸に沿って２ｃｍおよび１２ｃｍの位置に、それぞれの中心がくるように配置した。実験は以下の３区を設けて実施した。１．レモングラス精油原液８０μｌをしみ込ませた厚手ろ紙２枚を、蓋に付属させたプラスチック板の上、靴を上から見てつま先先端から底面長軸に沿って７ｃｍの位置に配置したスポンジ蓋を、履き口をよく密閉するように嵌め込んだ（図２）。２．対照として、精油を使わないろ紙のみを置いた実験区を設けた。３．蓋の密閉度の影響を検討するため、スポンジ蓋に代えてアルミホイルで軽く覆っただけの実験区も設けた。以上の準備を整えた後、靴を１６時間、室温（２３±２℃）においた。その後、靴から白癬菌シャーレを取り出してアルミホイルを外し、通常の蓋を被せてビニールテープで密閉し、３０℃、２日間培養した。発育してくる白癬菌は、肉眼および顕微鏡で観察した。結果は、スポンジ蓋をして精油を配置した実験区の白癬菌シャーレには、白癬菌の発育は全く観察されなかった。一方、アルミホイルで履き口を軽く覆っただけの実験区においては、対照よりは弱いものの、白癬菌の発育が観察された。すなわち本実験によって、精油を用いて靴内部の白癬菌を十分殺菌しようとする場合、密閉度の高い蓋によって履き口を塞ぐことが決定的に重要であることが示された。同様の結果は、青森ヒバ、パルマローザ、ゼラニウム、オレガノ、クローブ、レモングラス、タイム、シナモンといった植物由来の精油、およびシンナムアルデヒド、シトラールといった精油成分を用いた実験によっても得られた。
実施例２．ブーツ内部の白癬菌に対する植物精油の殺菌効果【０００９】  婦人用ロングブーツ（サイズ２３ｃｍ）を用い、その履き口に合ったプラスチック板付のスポンジ蓋を作成し、実施例１と同様の実験を行った。結果は、実施例１と同様に、スポンジ蓋によってブーツ内部の密閉度を高めた場合にのみ、十分な殺菌効果が認められた。すなわち本実験によっても、精油によって靴内部の白癬菌を十分殺菌しようとする場合、密閉度の高い蓋によって履き口を塞ぐことが決定的に重要であることが示された。
実施例３．揮発性成分の配置場所と殺菌力の範囲の検討【００１０】  実施例１と同様に男性用革靴（サイズ２５．５ｃｍ）の片方を用い、その内側底面に、実施例１および２で用いた白癬菌シャーレと同じものを２個、つま先先端から底面長軸に沿って２ｃｍおよび１２ｃｍの位置に、それぞれの中心がくるように配置した。また実施例１と同様にレモングラス精油原液をしみ込ませたろ紙２枚を靴内部に配置し、スポンジ蓋によって履き口を密閉した。実験は以下の４区を設けて実施した。１．精油８０μｌをしみ込ませたろ紙を、つま先先端からの距離が底面長軸に沿って７ｃｍの位置（白癬菌シャーレの淵から２ｍｍ低い）に置く。２．精油８０μｌをしみ込ませたろ紙を、底面長軸に沿って７ｃｍ、内側底面より３ｃｍの高さに置く。３．精油１６０μｌをしみ込ませたろ紙を、底面長軸に沿って７ｃｍ、内側底面より３ｃｍの高さに置く。４．精油８０μｌをしみ込ませたろ紙を、つま先先端からの距離が１ｃｍ、甲内側に近い位置に置く。その他の実験条件は、実施例１、２と同様とした。
結果は以下の通りであった。実験区１の白癬菌シャーレの淵から２ｍｍ低い位置に精油を配置した場合は、十分な殺菌効果は得られなかった。実験区２、３の内側底面より３ｃｍの高さに精油を配置した場合は、つま先先端から１２ｃｍに配置した白癬菌に対しては十分な殺菌効果が得られたが、２ｃｍの白癬菌に対しては効果が弱かった。実験区４のつま先先端部分に精油を配置した場合は、先端から２ｃｍに配置した白癬菌に対しては十分な殺菌効果が得られたが、１２ｃｍの白癬菌に対しては効果が弱かった。
本実験は、本発明である密閉度の高い蓋を使用し、履き物内側底面から適当な高さに数カ所、的確な位置に植物精油を配置すれば十分な殺菌効果が得られることを示唆している。
実施例４．悪臭の原因菌に対する殺菌力の検討【００１１】  効果の判定のために白癬菌シャーレに代えて表皮ブドウ球菌シャーレを用い、実施例１と同様の実験を行った。表皮ブドウ球菌シャーレは以下のように調製した。帝京大学医真菌研究センターに保存されている臨床分離株Ｓｔａｐｈｙｌｏｃｏｃｃｕｓ  ｅｐｉｄｅｒｍｉｄｉｓを種菌としてサブロー・グルコース寒天培地平板９ｃｍに接種し、３７℃、１６時間培養後、生育してきたコロニーを採取して生理食塩水に懸濁した。懸濁液の菌数を、マクファーランド比濁法０．５が１．５×１０８ｃｅｌｌｓ／ｍｌに相当するとして１．０×１０６ｃｅｌｌｓ／ｍｌになるよう調整し、その１００μｌを直径３．５ｃｍのシャーレにコンラージ棒で均一になるよう塗り広げた。皮ブドウ球菌シャーレは、白癬菌シャーレと同様に通常の蓋は使わず、代わりに中央に直径８ｍｍの円形の穴をあけたアルミホイルを蓋として使用した。
植物精油は、予備実験の結果、表皮ブドウ球菌に対する抗菌力が強かった青森ヒバ精油とレモングラス精油をそれぞれ等量合わせたブレンド精油を１カ所あたり８０μｌ、２枚のろ紙にしみ込ませて使用した。
実験の結果、実施例１および２と同様、密閉度の高い蓋をした場合にのみ表皮ブドウ球菌に対する強い殺菌効果が得られた。すなわち本発明の適用によって悪臭の原因菌を効率的に殺菌し、それによって履き物を消臭する効果が発揮されることが示された。
実施例５．揮発した植物精油成分を検出するための装置を設けた用具の作成【００１２】  実施例１で作成した用具のプラスチック板の先端部分に、アルデヒド類を検出する装置（ホルムアルデヒドパッシブドチューブ９１Ｄ、ガステック社製）を、粘着テープによって取り付けた（図３）。植物精油の揮発性成分の中には、シトラールやシンナムアルデヒドなどのように部分構造としてアルデヒドを有するものがあり、それらは強い殺菌力を発揮する。それらのアルデヒド成分は、前述の装置によって検出可能である。本装置の検出原理は、細いガラス管内に仕込まれたリン酸ヒドロキシルアミンとアルデヒドが反応してリン酸が遊離し、遊離したリン酸が指示薬と反応して、呈色が黄色からピンク色に変化するというものである。
アルデヒド類を検出する装置を取り付けた用具を用い、実施例１と同様の実験を行った。ただし白癬菌シャーレは用いなかった。植物精油は、レモングラス精油、シナモン精油、青森ヒバ精油とレモングラス精油を等量合わせたブレンド精油を、それぞれ１カ所あたり８０μｌ、２枚のろ紙にしみ込ませて使用した。また陽性対照としてシンナムアルデヒドを、１カ所あたり８０μｌ使用した実験区も設定した。
実験の結果は、密閉度を高めた蓋をした場合にのみ指示薬の呈色変化が観察された。この結果は、密閉度の高い蓋をすることによって、実際に靴内部の揮発性成分の気体濃度が高くなっていることを意味しており、実施例１における殺菌効果の結果とよく一致していた。すなわち本実験によって、殺菌力のある揮発性成分の蒸気濃度を検出することによって、その殺菌効果を予備的に評価することが可能であることが分かった。
【産業上の利用可能性】
【００１３】  本発明は、履き口以外に開口部分のない閉鎖性履き物の内側に生き残り、人に何らかの害をなす微生物、とくに白癬菌などの皮膚病原性真菌類や悪臭の原因物質を発生する細菌類などを、殺菌力のある気体または揮発性成分によって殺菌する際、その効果を高め、皮膚病原性真菌類の再感染や悪臭の再発生を確実に予防するために、閉鎖性履き物の履き口を塞ぐための用具である。
履き物に付着している微生物のコントロールは、人の健康や快適な生活を維持する上で大変重要な課題であり、本発明を応用した商品の潜在市場規模は大きいといえる。
本発明は、簡単な構造ではあるが効果が確実であって安価であり、さらに使用が簡便であって利用による特別な問題を引き起こさないなど、きわめて実用性が高い。
【図面の簡単な説明】
【００１４】
【図１】実施例１、２、３および４で使用したプラスチック板を取り付けた嵌め込むタイプの蓋の画像である。
【図２】図１で示した蓋を、実際に靴に適用したときの画像である。
【図３】実施例５で使用した、アルデヒド類を検出するための装置をプラスチック板の先端部分に取り付けた蓋の画像である。
【００１５】
【図１】
2014073335.tif 000003
【図２】
2014073335.tif 000004
【図３】
2014073335.tif 000005